(57)【要約】【課題】充電コネクタのロック・アンロック機能と動作モードの切換機能とを備えた上で、インストルメントパネルやリモコンキー上のスイッチレイアウトに関する制約を解消できると共に、スイッチの誤操作を未然に防止して利便性を向上できる電動車両の充電システムを提供する。【解決手段】イグニションスイッチ１３がオンされている場合及び充電コネクタ６が未接続の場合には(S2,4がＹes)、動作モード切換制御を実行して多機能スイッチ１５，１８の押圧操作毎に動作モードを切り換える(S3)。また、イグニションスイッチ１３がオフされ且つ充電コネクタ６が接続されている場合には(S2,4がＮo)、通常の短時間のスイッチ操作を条件としてロック・アンロック制御を実行し、多機能スイッチ１５，１８の押圧操作毎に充電コネクタ６をロックとアンロックとの間で切り換え(S5,6)、スイッチ操作が長押しの場合には動作モード切換制御を実行する(S5,3)。【選択図】図４
2018029417.tif 000002
【特許請求の範囲】
【請求項１】
外部電源からの充電コネクタが電動車両の充電ポートに接続されているときに該充電コネクタをロック可能なコネクタロック機構と、
入力操作可能な入力手段と、
前記電動車両のイグニションスイッチがオンされている場合及び前記充電コネクタが前記充電ポートに未接続の場合に、前記入力手段の操作に応じて前記コネクタロック機構のロック・アンロックに関する動作モードを切り換え、前記イグニションスイッチがオフされ且つ前記充電コネクタが前記充電ポートに接続されている場合には、前記入力手段の操作に応じて前記コネクタロック機構をロック・アンロックするロック・アンロック制御手段と
を備えたことを特徴とする電動車両の充電システム。
【請求項２】
前記入力手段は、押圧式スイッチとして構成され、
前記ロック・アンロック制御手段は、前記イグニションスイッチがオフされ且つ前記充電コネクタが前記充電ポートに接続されている場合であっても、前記押圧式スイッチに対する操作が長押しのときには、該押圧式スイッチの操作に応じて前記動作モードを切り換える
ことを特徴とする請求項１に記載の電動車両の充電システム。
【請求項３】
前記充電ポートに設けられた充電リッドを閉鎖位置でロックするリッドロック機構をさらに備え、
前記ロック・アンロック制御手段は、前記イグニッションスイッチがオフされ且つ前記充電リッドが前記リッドロック機構のロックにより閉鎖されている場合に、前記入力手段の操作に応じて前記リッドロック機構をアンロックする
ことを特徴とする請求項１または２に記載の電動車両の充電システム。
【請求項４】
前記入力手段は、前記電動車両の運転席に着座した運転者が操作可能な位置に設けられた
ことを特徴とする請求項１から３の何れか１項に記載の電動車両の充電システム。
【請求項５】
前記入力手段は、前記運転者が携帯可能なリモコンキーに設けられた
ことを特徴とする請求項１から４の何れか１項に記載の電動車両の充電システム。
【発明の詳細な説明】
【技術分野】
【０００１】
本発明は、電動車両の充電システムに係り、詳しくは、外部電源の充電コネクタを車両の充電ポートに接続して車載バッテリを充電する充電システムに関する。
【背景技術】
【０００２】
この種の電動車両の充電システムでは、充電中に充電コネクタが引抜かれる等の悪戯防止のために、充電ポートに接続した充電コネクタをロックする機能が付与されている。
例えば特許文献に記載された充電システムでは、運転席のインストルメントパネルやリモコンキーに設けたコネクタロック・アンロックスイッチの操作に応じて、充電ポートに接続中の充電コネクタをロック或いはアンロック可能となっている。また、充電コネクタのロック・アンロックは予め設定された複数の動作モードに基づき実行され、例えばオフモードでは、上記のようにスイッチ操作に応じてロック或いはアンロックされ、オートモードでは、充電ポートへの充電コネクタの接続に連動して自動ロックされ、充電完了に連動して自動アンロックされ、ロックモードでは、充電コネクタの接続に連動して自動ロックされ、スイッチ操作に応じてアンロックされる。
【０００３】
このような動作モードの切換のために、インストルメントパネルやリモコンキーにはコネクタロック・アンロックスイッチに対して動作モード切換スイッチが並設されている。例えば、自宅ガレージ等の悪戯される可能性がない場所での充電時にはオフモードが選択され、充電完了時に後続車に充電を譲る必要がある充電スタンドでの充電時にはオートモードが選択され、自宅ガレージ等であっても悪戯の可能性がある場所での充電時にはロックモードが選択される。
【先行技術文献】
【特許文献】
【０００４】
【特許文献１】特許５８１２１８６号明細書
【発明の概要】
【発明が解決しようとする課題】
【０００５】
しかしながら、インストルメントパネルには種々の用途の多数のスイッチが設けられており、またリモコンキーは小型化が図られているため、何れもコネクタロック・アンロックスイッチと動作モード切換スイッチとを並設するにはスイッチレイアウトに関する制約があった。また、２種のスイッチを使い分ける際に運転者が誤操作する可能性もあり、利便性の点でも改善する余地があった。
【０００６】
本発明はこのような問題点を解決するためになされたもので、その目的とするところは、充電コネクタのロック・アンロック機能と動作モードの切換機能とを備えた上で、インストルメントパネルやリモコンキー上のスイッチレイアウトに関する制約を解消できると共に、スイッチの誤操作を未然に防止して利便性を向上することができる電動車両の充電システムを提供することにある。
【課題を解決するための手段】
【０００７】
上記の目的を達成するため、本発明の電動車両の充電システムは、外部電源からの充電コネクタが電動車両の充電ポートに接続されているときに該充電コネクタをロック可能なコネクタロック機構と、入力操作可能な入力手段と、前記電動車両のイグニションスイッチがオンされている場合及び前記充電コネクタが前記充電ポートに未接続の場合に、前記入力手段の操作に応じて前記コネクタロック機構のロック・アンロックに関する動作モードを切り換え、前記イグニションスイッチがオフされ且つ前記充電コネクタが前記充電ポートに接続されている場合には、前記入力手段の操作に応じて前記コネクタロック機構をロック・アンロックするロック・アンロック制御手段とを備えたことを特徴とする（請求項１）。
【０００８】
このように構成した電動車両の充電システムによれば、コネクタロック機構のロック・アンロック操作、及びロック・アンロックに関する動作モードの切換操作の２種の機能が単一の入力手段に集約される。よって、スイッチレイアウトに関する制約を解消できると共に、運転者が２種のスイッチを使い分ける必要がなくなるため、誤操作が未然に防止される。
【０００９】
その他の態様として、前記入力手段が、押圧式スイッチとして構成され、前記ロック・アンロック制御手段は、前記イグニションスイッチがオフされ且つ前記充電コネクタが前記充電ポートに接続されている場合であっても、前記押圧式スイッチに対する操作が長押しのときには、該押圧式スイッチの操作に応じて前記動作モードを切り換えることが好ましい（請求項２）。
【００１０】
この態様によれば、イグニションスイッチをオフして充電コネクタを充電ポートに接続した後にも、運転者が意図的に押圧式スイッチを長押し操作すれば、所望の動作モードに切換可能となる。
その他の態様として、前記充電ポートに設けられた充電リッドを閉鎖位置でロックするリッドロック機構をさらに備え、前記ロック・アンロック制御手段は、前記イグニッションスイッチがオフされ且つ前記充電リッドが前記リッドロック機構のロックにより閉鎖されている場合に、前記入力手段の操作に応じて前記リッドロック機構をアンロックすることが好ましい（請求項３）。
【００１１】
この態様によれば、充電リッドの閉鎖状態では、入力手段の操作に応じてリッドロック機構がアンロックされて充電リッドを開放可能となる。このように入力手段が充電リッドの開放操作の機能を有するため、充電リッドをアンロックするための専用のリッド開スイッチを省略可能となると共に、入力手段とリッド開スイッチとを使い分ける必要がなくなる。
【００１２】
その他の態様として、前記入力手段が、前記電動車両の運転席に着座した運転者が操作可能な位置に設けられていることが好ましい（請求項４）。
この態様によれば、運転席に着座した運転者が操作可能な位置に入力手段が設けられ、例えばインストルメントパネルに設けられた場合には、インストルメントパネル上のスイッチレイアウトに関する制約が解消される。
【００１３】
その他の態様として、入力手段が、前記運転者が携帯可能なリモコンキーに設けられていることが好ましい（請求項５）。
この態様によれば、リモコンキー上のスイッチレイアウトに関する制約が解消される。
【発明の効果】
【００１４】
本発明の電動車両の充電システムによれば、充電コネクタのロック・アンロック機能と動作モードの切換機能とを備えた上で、インストルメントパネルやリモコンキー上のスイッチレイアウトに関する制約を解消できると共に、スイッチの誤操作を未然に防止して利便性を向上することができる。
【図面の簡単な説明】
【００１５】
【図１】実施形態の電動車両の充電システムを示す全体構成図である。
【図２】多機能スイッチのランプの消灯状態を示す説明図である。
【図３】第１実施形態における動作モードの切換操作に応じた多機能スイッチのランプ表示を示す説明図である。
【図４】第１実施形態のメインＥＣＵが実行するスイッチ機能切換ルーチンを示すフローチャートである。
【図５】第２実施形態のメインＥＣＵが実行するスイッチ機能切換ルーチンを示すフローチャートである。
【図６】第２実施形態における動作モードの切換操作及びロック・アンロック操作に応じた多機能スイッチのランプ表示を示す説明図である。
【発明を実施するための形態】
【００１６】
［第１実施形態］
以下、本発明を具体化した電動車両の充電システムの第１実施形態を説明する。
図１は本実施形態の電動車両の充電システムを示す全体構成図である。
電動車両１（以下、単に車両という場合もある）の車体外側面１ａにはポート収容部２が凹設され、ポート収容部２内には充電ポート３が設けられている。ポート収容部２にはヒンジ４ａを中心として開閉可能に充電リッド４が設けられ、充電リッド４の開閉に応じてポート収容部２内の充電ポート３が外部に露出または隠蔽されるようになっている。閉鎖位置の充電リッド４はリッドロック機構５によりロックされて開放を規制され（充電リッド４のロックと表現する場合もある）、リッドロック機構５がアンロックされると手動で充電リッド４を開放可能となる（充電リッド４のアンロックと表現する場合もある）。
【００１７】
充電リッド４の開放により充電ポート３が外部に露出すると、充電スタンド等に設置されている外部電源からの充電コネクタ６を接続可能となる。充電ポート３に充電コネクタ６が接続されると、充電ポート３及び充電コネクタ６に設けられた係合機構３ａ，６ａが互いに係合して充電コネクタ６を接続状態に保持する。充電コネクタ６の解除レバー６ｂを操作すると、係合機構３ａ，６ａの係合が解除されて充電ポート３から充電コネクタ６を引き抜くことができる。
【００１８】
また、充電ポート３側の係合機構３ａにはコネクタロック機構７が付設され、このコネクタロック機構７は係合機構３ａ，６ａの係合を強制的に保持する役割を果たす。即ち、充電コネクタ６を充電ポート３に接続した状態（係合機構３ａ，６ａの係合状態）でコネクタロック機構７がロックされると（以下、充電コネクタ６のロックと表現する場合もある）、解除レバー６ｂが操作されても係合機構３ａ，６ａの係合が保持されて充電コネクタ６を引き抜き不能とする。またコネクタロック機構７がアンロックされると（以下、充電コネクタ６のアンロックと表現する場合もある）、解除レバー６ｂの操作に応じて係合機構３ａ，６ａの係合が解除されて充電コネクタ６を引き抜き可能となる。充電ポート３側の係合機構３ａにはコネクタ接続センサ８が設けられ、充電ポート３に対する充電コネクタ６の接続を検出するようになっている。
【００１９】
なお、以上のリッドロック機構５、係合機構３ａ，６ａ及びコネクタロック機構７の具体的な構成としては、例えば特許文献１に記載のものを採用することができる。
そして、充電ポート３に充電コネクタ６が接続されると、外部電源から充電コネクタ６を介して充電ポート３に電力が供給され、その電力が電動車両１に搭載された図示しないインバータによりAC-DC変換されて車載バッテリが充電される。
【００２０】
本実施形態の充電システムの総合的な制御はメインＥＣＵ１１（電子制御装置）により実行され、認証ＥＣＵ１２が補助的な役割を果たす。これらのＥＣＵ１１，１２は、入出力装置、記憶装置（ＲＯＭ、ＲＡＭ、不揮発性ＲＡＭ等）、中央演算処理装置（ＣＰＵ）等から構成されている。
メインＥＣＵ１１の入力側には、上記したコネクタ接続センサ８、車両１のイグニションスイッチ１３、リッド開スイッチ１４及び多機能スイッチ１５（入力手段、押圧式スイッチ）が接続されると共に、認証ＥＣＵ１２も接続されている。リッド開スイッチ１４及び多機能スイッチ１５は、運転席に着座した運転者が操作可能なようにインストルメントパネルに設けられている。
【００２１】
また、メインＥＣＵ１１の出力側には、上記したリッドロック機構５及びコネクタロック機構７が接続され、これらのロック機構５，７がメインＥＣＵ１１からの指令に基づき作動するようになっている。
図１に示すように、リッド開スイッチ１４及び多機能スイッチ１５は押圧式のスイッチであり、多機能スイッチ１５には操作状態に応じて表示色が変わるランプ１５ａが設けられている。リッド開スイッチ１４は、閉鎖されている充電リッド４を開放操作するためのスイッチであり、その操作信号を入力したメインＥＣＵ１１によりリッドロック機構５がロックからアンロックに駆動されて充電リッド４を手動で開放可能となる。
【００２２】
また多機能スイッチ１５は、コネクタロック機構７のロック・アンロック操作（特許文献１の技術のコネクタロック・アンロックスイッチに相当）、及びコネクタロック機構７のロック・アンロックに関する動作モードの切換操作（特許文献１の技術の動作モード切換スイッチに相当）の２種の機能を有する。詳細は後述するが、多機能スイッチ１５が操作された時点の状況（イグニションスイッチ１３の操作状態等）に基づきメインＥＣＵ１１により何れの操作と見なすべきかが判定される。コネクタロック機構７のロック・アンロック操作と見なされた場合、図２に示すように多機能スイッチ１５のランプ１５ａが消灯され、多機能スイッチ１５が押圧操作される毎に、その操作信号を入力したメインＥＣＵ１１によりコネクタロック機構７がロックとアンロックとの間で切り換えられる（後述するロック・アンロック制御）。なお、充電中等にも多機能スイッチ１５のランプ１５ａは消灯される。
【００２３】
また動作モードとしては、オフモード、オートモード及びロックモードの３種が設定されている。メインＥＣＵ１１により動作モードの切換操作と見なされた場合、図３に示すように多機能スイッチ１５が押圧操作される毎に、その操作信号を入力したメインＥＣＵ１１により動作モードが順次切り換えられる（後述する動作モード切換制御）。また動作モードの切換に同期して、多機能スイッチ１５のランプ１５ａがオフモードでは緑色に、オートモードでは黄色に、ロックモードでは橙色に切り換えられ、これにより現在選択されている動作モードを運転者が認識できる。
【００２４】
なお各動作モードの内容は、例えば特許文献１の技術と同様である。オフモードでは、多機能スイッチ１５の操作に応じてロック或いはアンロックされ、オートモードでは、充電ポート３への充電コネクタ６の接続に連動して自動ロックされ、充電完了に連動して自動アンロックされ、ロックモードでは、充電コネクタ６の接続に連動して自動ロックされ、多機能スイッチ１５の操作に応じてアンロックされる。
【００２５】
一方、図１に示すように、充電システムには運転者が携帯するリモコンキー１６が備えられ、このリモコンキー１６にも上記のようなリッド開スイッチ１７及び多機能スイッチ１８が設けられている。各スイッチ１７，１８の機能は運転席に設けられたスイッチ１４，１５と同一であるため、重複する説明はしないが、リモコンキー１６による遠隔操作でも、リッド開スイッチ１７による充電リッド４の開放操作、或いは多機能スイッチ１８によるロック・アンロック操作及び動作モードの切換操作が実行されると共に、動作モードに同期してランプ１８ａの表示が切り換えられる。
【００２６】
なお、リモコンキー１６には車両１のドアロック・アンロックスイッチ等も設けられているが、本発明の特徴部分と関係ないため説明及び図示を省略する。
リモコンキー１６のスイッチ操作は、認証ＥＣＵ１２でＩＤ認証された上でメインＥＣＵ１１に伝達される。即ち、リモコンキー１６のリッド開スイッチ１７や多機能スイッチ１８が操作されると、その操作に対応した操作信号がリモコンキー１６から送信されると共に、同時に車両固有のＩＤコードも送信される。認証ＥＣＵ１２では操作信号と共にＩＤコードが受信される毎に正規ＩＤと照合し、ＩＤコードが正規ＩＤと一致することを条件に操作信号をメインＥＣＵ１１に伝達する。
【００２７】
次に、インストルメントパネルやリモコンキー１６の多機能スイッチ１５，１８が操作されたときのメインＥＣＵ１１の判定処理について述べる。
図４はメインＥＣＵ１１が実行するスイッチ機能切換ルーチンを示すフローチャートであり、メインＥＣＵ１１はイグニションスイッチ１３の操作状態に関わらず、車両１の停車中に常に当該ルーチンを所定の制御インターバルで実行する。当該ルーチンを実行するときのメインＥＣＵ１１が、本発明のロック・アンロック制御手段として機能する。
【００２８】
まずステップＳ１で、インストルメントパネルまたはリモコンキー１６の多機能スイッチ１５，１８が操作されたか否かを判定し、Ｎo（否定）のときには一旦ルーチンを終了する。ステップＳ１の判定がＹes（肯定）になるとステップＳ２に移行し、イグニションスイッチ１３がオンされているか否かを判定する。判定がＹesのときにはステップＳ３に移行し、動作モード切換制御を実行した後にルーチンを終了する。上記のように動作モード切換制御では、多機能スイッチ１５，１８が押圧操作される毎に動作モードがオフモード、オートモード、ロックモードの順に切り換えられる。
【００２９】
またステップＳ２の判定がＮoのときにはステップＳ４に移行し、コネクタ接続センサ８からの検出情報に基づき充電コネクタ６が未接続か否かを判定し、ＹesのときにはステップＳ３に移行する。
また、ステップＳ４の判定がＮoのときにはステップＳ５に移行し、ステップＳ１で判定した多機能スイッチ１５，１８の押圧操作が長押しであるか否かを判定し、ＹesのときにはステップＳ３に移行する。また、通常の短時間のスイッチ操作であるとしてステップＳ５でＮoの判定を下したときには、ステップＳ６でロック・アンロック制御を実行した後にルーチンを終了する。上記のようにロック・アンロック制御では、多機能スイッチ１５，１８が押圧操作される毎にコネクタロック機構７がロックとアンロックとの間で切り換えられる。
【００３０】
充電作業では、イグニションスイッチ１３がオフされると共に充電ポート３に充電コネクタ６が接続され、この時点でオートモードやロックモードでは充電コネクタ６が自動ロックされ、何れの動作モードでも、この時点より以降で運転者により充電コネクタ６がロック・アンロックされる可能性が生じることから、ロック・アンロック制御により運転者のスイッチ操作に備える必要がある。逆に、この時点より以前では、充電コネクタ６がロック・アンロックされる可能性はないものの、運転者が動作モードを切換操作できる余地を確保すべく、動作モード切換制御を可能な限り継続することが望ましい。
【００３１】
上記のようにイグニションスイッチ１３がオンされている場合及び充電コネクタ６が未接続の場合には、動作モード切換制御が実行されることから、運転者は多機能スイッチ１５，１８を押圧操作して動作モードを任意に変更できる。従って、例えば自宅ガレージ等の悪戯される可能性がない場所での充電時にはオフモードを選択し、充電完了時に後続車に充電を譲る必要がある充電スタンドでの充電時にはオートモードを選択し、自宅ガレージ等であっても悪戯の可能性がある場所での充電時にはロックモードを選択することが可能となる。
【００３２】
また、イグニションスイッチ１３がオフされ且つ充電コネクタ６が接続されている場合には、通常の短時間のスイッチ操作（長押し操作以外）であることを条件としてロック・アンロック制御が実行される。従って、運転者は多機能スイッチ１５，１８を押圧操作して充電コネクタ６を任意にロック・アンロックでき、例えばオフモードにおいて、充電コネクタ６の接続と共にスイッチ操作により充電コネクタ６をロックすることができる。
【００３３】
動作モード切換制御からロック・アンロック制御への切換は、イグニションスイッチ１３がオフされ且つ充電コネクタ６が接続されるタイミング、換言すると、運転者により充電コネクタ６がロック・アンロックされる可能性が生じた最適なタイミングで実行される。よって、動作モード切換制御を最大限に継続して運転者が動作モードを任意に切換操作できる余地を確保した上で、充電コネクタ６のロック・アンロックのためのスイッチ操作が運転者により行われた場合には、ロック・アンロック制御によりスイッチ操作に応じた充電コネクタ６のロック・アンロックを確実に実行することができる。
【００３４】
そして、このように特許文献１の技術のコネクタロック・アンロックスイッチと動作モード切換スイッチとの機能を単一の多機能スイッチ１５，１８に集約している。従って、運転席のインストルメントパネル上やリモコンキー１６上のスイッチレイアウトに関する制約を解消できると共に、運転者が２種のスイッチを使い分ける必要がなくなるため、誤操作を未然に防止して利便性を向上することができる。
【００３５】
一方、イグニションスイッチ１３がオフされ且つ充電コネクタ６が接続されると、通常の短時間のスイッチ操作ではロック・アンロック制御が実行されるが、長押し操作の場合には動作モード切換制御が実行される。一般的に動作モードの選択後に充電コネクタ６が接続されて充電作業が開始されるが、充電コネクタ６の接続後に運転者が思い直して動作モードを切り換える場合もあり得る。このようなとき運転者は意図的に多機能スイッチ１５，１８を長押し操作すれば、所望の動作モードに切換可能となる。このように充電コネクタ６の接続後においても動作モードを切り換える余地を残すことにより、その利便性をさらに高めることができる。
［第２実施形態］
次に、本発明を別の電動車両１の充電システムに具体化した第２実施形態を説明する。
【００３６】
第１実施形態との相違点は、第１実施形態で述べた多機能スイッチ１５，１８にリッド開スイッチ１４の機能を追加し、インストルメントパネル及びリモコンキー１６のリッド開スイッチ１４を省略した点にある。このため、図１に示す充電システムの全体構成等については基本的に第１実施形態と同様であるため、共通する箇所の説明を省略して相違点を重点的に説明する。
【００３７】
図１に示すように本実施形態では、運転席のインストルメントパネル及びリモコンキー１６に多機能スイッチ１５，１８のみが設けられている。また、リッドロック機構５には充電リッド４の開閉を検出するためのリッド開閉センサ２１が設けられ、その検出情報がメインＥＣＵ１１に入力されるようになっている。
多機能スイッチ１５，１８は、コネクタロック機構７のロック・アンロック操作及び動作モードの切換操作の機能に加えて、リッドロック機構５をアンロックして充電リッド４を開放操作する機能を有する（後述する充電リッド開制御）。
【００３８】
図５はメインＥＣＵ１１が実行するスイッチ機能切換ルーチンを示すフローチャートであり、図４に示す第１実施形態のものとの相違点はステップＳ１１，１２の追加にある。当該ルーチンを実行するときのメインＥＣＵ１１が、本発明のロック・アンロック制御手段として機能する。
ステップＳ１で何れかの多機能スイッチ１５，１８が操作され、ステップＳ２でイグニションスイッチ１３のオンを判定すると、ステップＳ３で動作モード切換制御を実行する。ステップＳ２の判定がＮoのときにはステップＳ１１に移行し、充電リッド４がリッドロック機構５のロックにより閉鎖されているか否かを判定する。ステップＳ１１の判定がＹesのときにはステップＳ１２に移行し、充電リッド開制御を実行した後にルーチンを終了する。充電リッド開制御では、多機能スイッチ１５，１８が第１実施形態のリッド開スイッチ１４として機能し、その押圧操作に呼応してリッドロック機構５がアンロックされて充電リッド４を開放可能となる。
【００３９】
また、充電リッド４の開放に基づきステップＳ１１でＮoの判定を下すと、以降の処理は第１実施形態と同様であり、充電コネクタ６が未接続の場合、或いは充電コネクタ６が接続されていてもスイッチ操作が長押しの場合には、ステップＳ３で動作モード切換制御を実行し、充電コネクタ６が接続されて通常の短時間のスイッチ操作が行われた場合には、ステップＳ６でロック・アンロック制御を実行する。
【００４０】
以上のように本実施形態の多機能スイッチ１５，１８は、ロック・アンロック操作及び動作モードの切換操作の機能に加えて充電リッド４の開放操作の機能を有する。よって、第１実施形態に比較してインストルメントパネル及びリモコンキー１６のリッド開スイッチ１４を省略できることから、スイッチレイアウトに関する制約を一層解消することができる。また第１実施形態では、運転者が多機能スイッチ１５とリッド開スイッチ１４とを使い分ける必要があったが、その必要性がなくなるため誤操作をより確実に防止して利便性を向上することができる。
【００４１】
以上のメインＥＣＵ１１による制御中において、例えば多機能スイッチ１５，１８のランプ１５ａ，１８ａは以下のように切り換えられる。
充電リッド開制御の実行中には、図２に示すように多機能スイッチ１５，１８のランプ１５ａ，１８ａが消灯され、これにより運転者は充電リッド４の開放操作が必要なことを認識できる。また動作モード切換制御の実行中には、図６に示すように多機能スイッチ１５，１８の押圧操作毎に動作モードが順次切り換えられると共に、動作モードの切換に同期してランプ１５ａ，１８ａが点滅状態で緑色、黄色、橙色の順に切り換えられる。よって、運転者はランプ１５ａ，１８ａの表示色に基づき現在選択している動作モードを認識し、点滅状態に基づき動作モードを切換可能なことを認識できる。
【００４２】
またロック・アンロック制御の実行中には、図６に示すように確定した動作モードに対応した表示色でランプ１５ａ，１８ａが点灯し、運転者は動作モードが確定してロック・アンロック制御に切り換えられたことを認識できる。そして、この状態でスイッチ操作等によって充電コネクタ６がロックされると、ランプ１５ａ，１８ａが赤色に切り換えられ、充電コネクタ６がアンロックされるとロック前の色（緑色、黄色、橙色）に戻される。これにより、運転者は現在の充電コネクタ６のロック・アンロック状態を認識できる。
【００４３】
但し、以上の多機能スイッチ１５，１８のランプ表示の切換は一例であり、これに限定されるものではなく、例えば第１実施形態と同様にランプ表示を切り換えてもよい。
以上で実施形態の説明を終えるが、本発明の態様はこの実施形態に限定されるものではない。例えば上記実施形態では、運転席のインストルメントパネル及びリモコンキー１６のスイッチを共に多機能スイッチ１５，１８としたが、何れか一方だけでもよい。
【００４４】
また上記実施形態では、多機能スイッチ１５，１８を押圧式としたが、本発明の入力手段はこれに限るものではなく、例えば原位置に自動復帰するシーソー式スイッチとしてもよい。
【符号の説明】
【００４５】
１        電動車両
３        充電ポート
４        充電リッド
５        リッドロック機構
６        充電コネクタ
７        コネクタロック機構
１１      メインＥＣＵ（ロック・アンロック制御手段）
１３      イグニションスイッチ
１４,１７ リッド開スイッチ
１５,１８ 多機能スイッチ（入力手段）
１６      リモコンキー
【図１】
2018029417.tif 000003
【図２】
2018029417.tif 000004
【図３】
2018029417.tif 000005
【図４】
2018029417.tif 000006
【図５】
2018029417.tif 000007
【図６】
2018029417.tif 000008